【手続補正書】
【提出日】平成20年3月19日(2008.3.19)
【手続補正１】
【補正対象書類名】明細書
【補正対象項目名】特許請求の範囲
【補正方法】変更
【補正の内容】
【特許請求の範囲】
【請求項１】  複数のユーザがネットワーク上でメッセージの交換を行なう電子コミュニケーションサービスであるチャットサービスに用いられる通信端末装置であって、
ユーザに対応付けられている発言データを入力するための入力手段と、
前記発言データを表示する表示手段と、
前記入力手段から入力された複数の発言データに対して、前記入力手段への入力順に応じた順位を付与する順位付与手段とを備え、
前記表示手段は、入力された前記複数の発言データを、対応付けられたユーザに基づく位置に、それぞれの発言データの入力順が明示されて表示されるように前記順位に対応した表示態様で表示する、通信端末装置。
【請求項２】  前記入力手段で入力された前記発言データを記憶する記憶手段と、
前記順位付加手段によって付加された順位が、所定の順位を超過した前記発言データを前記記憶手段から破棄する破棄手段とをさらに備える、請求項１に記載の通信端末装置。
【請求項３】  前記表示手段は、前記順位に対応した表示態様として、前記発言データを表わす文字、前記文字を囲む吹出し、および前記発言データに対応付けられているユーザを表わすイメージのいずれかの少なくとも１つの色を、前記順位に対応付けられた色で表示して入力順序を明示する、請求項１または２に記載の通信端末装置。
【請求項４】  前記表示手段は、前記順位に対応した表示態様として、前記発言データを表わす文字、前記文字を囲む吹出し、および前記発言データに対応付けられているユーザを表わすイメージのいずれかの少なくとも１つの表示濃度を、前記順位に対応付けられた濃度で表示して入力順序を明示する、請求項１〜３のいずれかに記載の通信端末装置。
【請求項５】  前記表示手段は、前記順位に対応した表示態様として、前記発言データを表わす文字、前記文字を囲む吹出し、および前記発言データに対応付けられているユーザを表わすイメージのいずれかの少なくとも１つの、前記対応付けられたユーザに基づく位置のうちの表示位置を、前記順位に対応付けられた位置に決定する、請求項１〜４のいずれかに記載の通信端末装置。
【請求項６】  前記表示手段は、前記発言データを表わす文字、前記文字を囲む吹出し、および前記発言データに対応付けられているユーザを表わすイメージのいずれかの近くにマークを表示し、前記順位に対応した表示態様として、前記マークの表示態様を前記順位に対応付けられた表示態様で表示して入力順序を明示する、請求項１〜５のいずれかに記載の通信端末装置。
【請求項７】  前記表示手段は、前記順位に対応した表示態様として、前記発言データを表わす文字、前記文字を囲む吹出し、および前記発言データに対応付けられているユーザを表わすイメージのいずれかの少なくとも１つの表示の大きさを、前記順位に対応付けられた大きさで表示して入力順序を明示する、請求項１〜６のいずれかに記載の通信端末装置。
【請求項８】  前記表示手段は、１人のユーザによる発言の発言順序を明示するように、前記発言データを前記順位および前記発言データに対応付けられたユーザに対応した表示態様で表示する、請求項１〜７のいずれかに記載の通信端末装置。
【請求項９】  複数のユーザがネットワーク上でメッセージの交換を行なう電子コミュニケーションサービスであるチャットサービスに用いられる通信端末装置の１つが行なう発言順序の明示方法であって、
ユーザに対応付けられている発言データの入力を受付ける入力ステップと、
前記入力ステップで入力された複数の発言データに対して、発言順序に対応する入力順に応じた順位を付与するステップと、
前記入力ステップで入力された前記複数の発言データを、表示装置に、対応付けられたユーザに基づく位置に、それぞれの発言データの入力順が明示されて表示されるように前記順位に対応した表示態様で表示する表示ステップとを備える、通信端末装置が行なう発言順序の明示方法。
【請求項１０】  複数のユーザがネットワーク上でメッセージの交換を行なう電子コミュニケーションサービスであるチャットサービスに用いられる通信端末装置の１つが行なう、発言順序に対応した発言データの入力順の明示方法を、入力手段と表示手段と処理手段とを備えるコンピュータに実現させるためのプログラムであって、
前記入力手段が、ユーザに対応付けられている発言データの入力を受付ける入力ステップと、
前記処理手段が、前記入力ステップで入力された複数の発言データに対して、発言順序に対応する入力順に応じた順位を付与するステップと、
前記表示手段が、前記入力ステップで入力された前記複数の発言データを、対応付けられたユーザに基づく位置に、それぞれの発言データの入力順が明示されて表示されるように前記順位に対応した表示態様で表示する表示ステップとを実行させる、発言順序の明示方法をコンピュータに実現させるためのプログラム。
【請求項１１】  複数のユーザがネットワーク上でメッセージの交換を行なう電子コミュニケーションサービスであるチャットサービスをユーザに提供するチャットサーバ装置であって、
前記ネットワークに接続し、ユーザに対応付けられている発言データを送受信するための通信手段と、
前記通信手段によって受信した複数の前記発言データに対して、受信順に応じた順位を付与する順位付与手段と、
前記通信手段によって受信した発言データを表示装置に表示するための処理を行なうデータ処理手段とを備え、
前記データ処理手段は、前記通信手段によって受信した複数の前記発言データの前記表示装置における表示位置を対応付けられたユーザに基づく位置に決定し、表示態様を前記順位に対応した表示態様に決定する、チャットサーバ装置。
【請求項１２】  複数のユーザがネットワーク上でメッセージの交換を行なう電子コミュニケーションサービスであるチャットサービスをユーザに提供するチャットサーバ装置の行なう発言順序の明示方法であって、
前記ネットワークに接続し、ユーザ対応付けられている発言データを受信するステップと、
前記受信した複数の前記発言データに対して、受信順に応じた順位を付与するステップと、
前記受信した発言データを表示装置に表示するための処理を行なうデータ処理ステップとを備え、
前記データ処理ステップは、前記受信した複数の前記発言データの前記表示装置における表示位置を対応付けられたユーザに基づく位置に決定し、表示態様を前記順位に対応した表示態様に決定する、チャットサーバ装置が行なう発言順序の明示方法。
【請求項１３】  複数のユーザがネットワーク上でメッセージの交換を行なう電子コミュニケーションサービスであるチャットサービスをユーザに提供するチャットサーバ装置が行なう、発言順序に対応した発言データの入力順の明示方法を、通信手段と処理手段とを備えるコンピュータに実現させるためのプログラムであって、
前記通信手段が、前記ネットワークに接続し、ユーザ対応付けられている発言データを受信するステップと、
前記処理手段が、前記受信した複数の前記発言データに対して、受信順に応じた順位を付与するステップと、
前記処理手段が、前記受信した発言データを表示装置に表示するための処理を行なうデータ処理ステップとを実行させ、
前記データ処理ステップは、前記受信した複数の前記発言データの前記表示装置における表示位置を対応付けられたユーザに基づく位置に決定し、表示態様を前記順位に対応した表示態様に決定する、発言順序の明示方法をコンピュータに実現させるためのプログラム。
【請求項１４】  請求項１〜８のいずれかに記載の通信端末装置と、
チャット機能をネットワーク上に実現するチャットサーバ装置と、
前記通信端末装置と前記チャットサーバ装置とを双方向に接続するネットワークとを含んで構成されるチャットシステムであって、
ユーザの発言順序を前記通信端末上に明示することを特徴とする、チャットシステム。
【請求項１５】  チャットサービスに参加するユーザが用いる通信端末装置と、
請求項１１に記載のチャットサーバ装置と、
前記通信端末装置と前記チャットサーバ装置とを双方向に接続するネットワークとを含んで構成されるチャットシステムであって、
ユーザの発言順序を明示することを特徴とする、チャットシステム。